(57)【要約】【課題】非接触券の交信状態を体感により知ることができるようにする。【解決手段】非接触券の本体が非接触式自動改札機の本体に設けられているアンテナにタッチされ、又はそのアンテナにかざされたときに、その非接触券の本体とその非接触式自動改札機の本体との間でデータの授受を行って入出場処理する非接触券において、前記非接触券の本体が前記非接触式自動改札機の本体に設けられているアンテナにタッチされ、又はそのアンテナにかざされたときに、その非接触券の本体にその非接触券の本体を振動させる振動手段を設ける。【選択図】　　　図３
2004078733.tif 000002
【特許請求の範囲】
【請求項１】
非接触券の本体が非接触式自動改札機の本体に設けられているアンテナにタッチされ、又はそのアンテナにかざされたときに、その非接触券の本体とその非接触式自動改札機の本体との間でデータの授受を行って入出場処理する非接触券において、
前記非接触券の本体が前記非接触式自動改札機の本体に設けられているアンテナにタッチされ、又はそのアンテナにかざされたときに、その非接触券の本体にその非接触券の本体を振動させる振動手段を設けたことを特徴とする非接触券。
【請求項２】
非接触券の本体が非接触式自動改札機の本体に設けられているアンテナにタッチされ、又はそのアンテナにかざされたときに、その非接触券の本体とその非接触式自動改札機の本体との間でデータの授受を行って入出場処理する非接触券において、
前記非接触券の本体が前記非接触式自動改札機の本体に設けられているアンテナにタッチされ、又はそのアンテナにかざされてその非接触券の本体とその非接触式自動改札機の本体との間で行われたデータ授受に基づく入出場の演算処理の結果が、入場を許可できるとき、又はその入場を許可できないときに、その非接触券の本体にその非接触券の本体を振動させる振動手段を設けたことを特徴とする非接触券。
【請求項３】
請求項１又は２に記載の非接触券において、振動手段の駆動用の電池を内蔵したことを特徴とする非接触券。
【請求項４】
請求項１〜３のいずれかに記載の非接触券において、その非接触券の本体は利用者の所持する携帯端末機に組込まれていることを特徴とする非接触券。
【発明の詳細な説明】
【０００１】
【発明の属する技術分野】
本発明は、非接触式自動改札機で使用される無線通信機能を備えたＩＣカードからなる非接触券に関する。
【０００２】
【従来の技術】
近年、利用者（旅客）の利便性を高めるために、乗車券を自動改札機に投入することなく、非接触式に自動改札が行える非接触式自動改札機が使用されている。この非接触式自動改札機は、非接触券の本体（以下、非接触券の本体を含めて非接触券として説明する。）と非接触式自動改札機の本体（以下、「改札機本体」という。）との間で、非接触でデータの授受が行われて入出場（本発明で「入出場」というときは、「入場」又は「出場」を意味している。）処理が行われるように構成されている。
【０００３】
非接触券と改札機本体との間のデータ授受は、先ず、非接触券が改札機本体に設けられているアンテナにかざされ、又はそのアンテナに軽くタッチされると（以下、タッチで説明する。）、非接触券に記録されている定期券の乗車区間や有効期間等の所定のカードデータが読取られる。そして、改札機本体では、その読取られたカードデータを基に入出場のための所定の演算処理を行い、その演算処理の結果、入出場を許可できるとき、ドアが開かれて（改札機本体がノーマルオープン型のときはそのまま）利用者の改札通路の通過が許可されるとともに、その演算処理の結果、入出場を許可できないとき、ドアが閉じられるように構成されている。また、入出場が許可されたときは、新たな入出場データが非接触券に書込まれる。非接触券にその新たな入出場データが書込まれたことが非接触券からの信号により改札機本体で確認できたことをもって、その非接触券に対する一連の処理が終了となる。
【０００４】
【発明が解決しようとする課題】
しかしながら、上記従来の非接触券は、改札機本体のアンテナにタッチするだけで入出場できるので、利用者の利便性を高めることができるが、非接触券がアンテナにタッチされたときに入出場が許可されたのか、あるいは拒否されたのか分かりづらいという欠点があった。特に、視覚障害の利用者は、ドアの開閉状態や表示画面の内容を見ることができないので、判定の可否を目視できず不便を感じることがあった。
【０００５】
そこで、本発明は、上述の欠点を解決するためになされたものであって、その目的は、非接触券の処理状態を体感することのできる非接触券を提供することにある。
【０００６】
【課題を解決するための手段】
本発明に係る非接触券は、上記目的を達成するために、請求項１に記載の発明は、非接触券の本体が改札機本体に設けられているアンテナにタッチされ、又はそのアンテナにかざされたときに、その非接触券の本体とその改札機本体との間でデータの授受を行って入出場処理する非接触券において、前記非接触券の本体が前記改札機本体に設けられているアンテナにタッチされ、又はそのアンテナにかざされたときに、その非接触券の本体にその非接触券の本体を振動させる振動手段を設けたことを特徴としている。
【０００７】
本発明に係る非接触券は、上記目的を達成するために、請求項２に記載の発明は、非接触券の本体が改札機本体に設けられているアンテナにタッチされ、又はそのアンテナにかざされたときに、その非接触券の本体とその改札機本体との間でデータの授受を行って入出場処理する非接触券において、前記非接触券の本体が前記改札機本体に設けられているアンテナにタッチされ、又はそのアンテナにかざされてその非接触券の本体とその改札機本体との間で行われたデータ授受に基づく入出場の演算処理の結果が、入場を許可できるとき、又はその入場を許可できないときに、その非接触券の本体にその非接触券の本体を振動させる振動手段を設けたことを特徴としている。
本発明の請求項３に記載の非接触券は、振動手段の駆動用の電池を内蔵したことを特徴としている。
本発明の請求項４に記載の非接触券は、その非接触券は利用者の所持する携帯端末機に組込まれていることを特徴としている。
【０００８】
【発明の実施の形態】
以下、本発明の実施の形態を図面に基づいて説明する。図１は、一実施の形態に係る非接触券Ｃを使用する非接触式自動改札機の斜視図であって、改札機本体Ｇの入口側の筐体Ｈの上面には、非接触券Ｃと交信するための内部にアンテナａを備えたカバーａ′が設けられている。
【０００９】
改札機本体Ｇの筐体Ｈの改札通路Ｐの入口側には、改札機本体Ｇの使用状態、つまり改札通路Ｐを通過できるか否かを利用者に表示するための表示部１が設けられている。また、図１中、Ｓ，Ｓ…は、改札通路Ｐへの利用者の進入又は改札通路Ｐからの退出、あるいは、通過を検知するための光電式の人間検知器であって、筐体Ｈの側面に所定の間隔を保って設けられている。さらに、この人間検知器は、筐体Ｈの上面の改札通路Ｐと反対側で、その改札通路Ｐの通過方向に沿って設けられたセンサ取付ボックス２内に設けられている反射型センサからなる人間検知器Ｓ′，Ｓ′…によっても構成されている。この反射型センサからなる人間検知器Ｓ′，Ｓ′…は、改札通路Ｐ内の大人の利用者を検知できるように、改札通路Ｐの床面から所定高さ以上の物体（利用者）を検知できるように構成されている。
【００１０】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ１　，Ｄ２　がそれぞれ設けられている。また、筐体Ｈの上面のほぼ中央部には、利用者に対して文字により所定の案内を行うための表示画面４が取付けられている。
【００１１】
図１中、５は、改札機本体Ｇの動作を司どる制御器であり、マイクロコンピュータを中心に構成されている。そして、この制御器５には、非接触券Ｃとの間でデータの授受を行うための上述のアンテナａを接続したリーダライタＲ（後述の図２参照）が接続されている。
【００１２】
図２は、改札機本体Ｇに設けられている制御器５及び非接触券Ｃの電気的構成を示すブロック図である。制御器５側から説明すると、この制御器５のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ１　，Ｄ２　を駆動制御するドア駆動ユニット２４と、表示画面４の表示内容を駆動制御する表示画面駆動ユニット２５とが接続されている。なお、このＣＰＵ２０には、人間検知器Ｓ，Ｓ…、Ｓ′，Ｓ′…の検知信号を入力するためのセンサアンプや改札機本体Ｇを管理制御する図示しない駅務機器制御装置（駅制）と通信を行うための通信制御部等が接続されているが、ここでは省略されている。
【００１３】
リーダライタＲには、非接触券Ｃと交信を行うためのアンテナａが接続されている。このアンテナａは、非接触券Ｃとデータ授受を行う機能と、非接触券Ｃに電力を供給する機能とが備えられている。
【００１４】
非接触券Ｃは、無線通信機能を有するＩＣカードと同様に構成されている。すなわち、この非接触券Ｃには、アンテナＡと、改札機本体Ｇ側と交信するための通信制御部３０と、その通信制御部３０とＩ／Ｏユニット３１を介して接続されているＣＰＵ３２と、システムプログラムデータ、定期券データ、ストアードフェアカード（ＳＦカード）データ及びカードＩＤデータ等の所定のカードデータの記録されているメモリ３３と、改札機本体Ｇからの電力波をアンテナＡを介して受信し、非接触券Ｃの駆動電力を生成する電力生成回路３４と、非接触券Ｃを振動させる本発明の振動手段をなすバイブレータ３５とを有している。バイブレータ３５は、周知の振動子を電磁石で振動させる形式のものを採用することができる。このバイブレータ３５の駆動電源は、電力生成回路３４から得ることができるが、別途、電池Ｅを内蔵し、この電池Ｅから駆動電源を得るようにしてもよい。また、このような電池Ｅを設けたときは、電力生成回路３４を省略し、この電池Ｅで非接触券Ｃ全体を駆動するようにしてもよい。
【００１５】
以下、図３（ａ）のフローチャートを用いて制御動作を説明する。今、利用者が改札機本体Ｇのアンテナａに非接触券Ｃをタッチしたとする（ステップ１００肯定。以下、ステップを「Ｓ」とする。）。非接触券Ｃがアンテナａにタッチされると、改札機本体Ｇは、非接触券Ｃに記録されているカードデータの読取りを行い、制御器５においてその読取られたカードデータを基にした入出場の演算処理が行われるとともに、バイブレータ３５が駆動される（Ｓ１０２）。したがって、利用者は、非接触券Ｃが振動したことにより、非接触券Ｃがアンテナａにタッチして改札機本体Ｇとの間で正常に交信されたことを体感により知ることができる。
【００１６】
制御器５による演算処理の結果、入出場を許可できるときは、非接触券Ｃに対してその演算処理結果のデータである新たな入出場データの書込みが行われる。そして、その入出場データの書込みが終了したことの通知が非接触券Ｃから改札機本体Ｇにあれば、ドアＤ１　が開かれて（改札機本体Ｇがノーマルオープン型のときはそのまま）利用者の改札通路Ｐの通過が許可される。なお、上述の演算処理の結果、入出場を許可できないときは、ドアＤ１　が閉じられるとともに、表示画面４及びスピーカ３を介して精算処理案内等の適切な案内が行われる（Ｓ１０４）。
【００１７】
図３（ｂ）は、バイブレータ３５の駆動を入出場が許可されたときに行えるようにしたものである（Ｓ２００肯定、Ｓ２０２、Ｓ２０４肯定、Ｓ２０６）。したがって、利用者は、アンテナａにタッチした非接触券Ｃで入出場が許可されたことを体感により知ることができる。なお、バイブレータ３５の駆動は、入出場が拒否されたときに（Ｓ２０４否定）行うようにしてもよい（Ｓ２０７参照）。
【００１８】
上述の例では、非接触券Ｃ自身をアンテナａにタッチする例を示したが、非接触券Ｃを本出願人が先に特開２００１−５２２１３号公報で提案しているような携帯電話器等の利用者が所持する携帯端末機（図示せず）に組込むようにしてもよい。この場合、バイブレータは、その携帯端末機に内蔵されているものを利用することができ、また、その携帯端末機の駆動電源を非接触券Ｃ及びバイブレータ３５の駆動電源に利用することができる。
【００１９】
【発明の効果】
本発明の請求項１に記載の非接触券は、非接触券の本体が改札機本体に設けられているアンテナにタッチされ、又はそのアンテナにかざされたときに、その非接触券の本体とその改札機本体との間でデータの授受を行って入出場処理する非接触券において、前記非接触券の本体が前記改札機本体に設けられているアンテナにタッチされ、又はそのアンテナにかざされたときに、その非接触券の本体にその非接触券の本体を振動させる振動手段を設けたので、改札機本体との交信状態を体感により知ることができる。
【００２０】
本発明の請求項２に記載の非接触券は、非接触券の本体が改札機本体に設けられているアンテナにタッチされ、又はそのアンテナにかざされてその非接触券の本体とその改札機本体との間で行われたデータ授受に基づく入出場の演算処理の結果が、入場を許可できるとき、又はその入場を許可できないときに、その非接触券の本体にその非接触券の本体を振動させる振動手段を設けたので、入出場が許可されたこと、又は入場を拒否されたことを体感により知ることができる。
本発明の請求項３に記載の非接触券は、振動手段の駆動用の電池を内蔵したので、その電池により振動手段を駆動させることができる。
本発明の請求項４に記載の非接触券は、その非接触券の本体が利用者の所持する携帯端末機に組込まれているので、その携帯端末機を利用して交信状態を体感することができる。
【図面の簡単な説明】
【図１】本発明の一実施の形態に係る非接触券を使用する非接触式自動改札機の斜視図である。
【図２】制御器及び非接触券の電気的構成を示すブロック図である。
【図３】制御動作を示すフローチャートである。
【符号の説明】
Ｇ　非接触式自動改札機の本体（改札機本体）
Ｃ　非接触券の本体（非接触券）
３５　バイブレータ（振動手段）
【図１】
2004078733.tif 000003
【図２】
2004078733.tif 000004
【図３】
2004078733.tif 000005